(57)【要約】【課題】モデルチェンジに好適に対応可能とする。【解決手段】装飾カバー１４は、カバー本体１５と、そのカバー本体１５の内縁に延設される内板部１６と、カバー本体１５の外縁に沿って延設される外板部１７とからなり、内板部１６の下端側には舌片状の係止片１８，１８・・が、カバー本体１５の上下には接着片２０，２０が夫々延設されている。よって、内板部１６の係止片１８を、前枠７とガラス９との隙間に差し込み、接着片２０を両面テープで前枠７の表面に接着することで、前枠７の一部を新たな装飾カバー１４で覆うことができる。【選択図】　図３
2004081586.tif 000002
【特許請求の範囲】
【請求項１】
遊技機の前面に位置する前枠の一部または全部をカバーする形状を有し、表面に所定の装飾が施される一方、前記前枠に着脱可能な取付手段を備えてなる遊技機用装飾カバー。
【請求項２】
取付手段が、前枠の裏面に係止可能な係止片である請求項１に記載の遊技機用装飾カバー。
【請求項３】
係止片が、前枠と、その前枠の裏面で支持される透明板とで挟持される請求項２に記載の遊技機用装飾カバー。
【請求項４】
表面に遊技情報が記載されている請求項１乃至３の何れかに記載の遊技機用装飾カバー。
【請求項５】
前枠に設けられた電飾部材の前方位置で取り付け可能とした請求項１乃至４の何れかに記載の遊技機用装飾カバー。
【請求項６】
前面に位置する前枠に、請求項１乃至５の何れかに記載の遊技機用装飾カバーを装着してなる遊技機。
【発明の詳細な説明】
【０００１】
【発明の属する技術分野】
本発明は、パチンコ機、スロットマシン等の遊技機に用いられる遊技機用装飾カバーと、その装飾カバーを用いた遊技機とに関する。
【０００２】
【従来の技術】
例えばパチンコ機では、外枠内に、遊技領域を有する遊技盤を組み付けた本体が設置され、本体の前方には、遊技領域に当たる部分に開口部を形成し、その背面にガラスを嵌め込んだ前枠を片開き可能に蝶着している。この前枠は、合成樹脂で成形されるのが一般的で、表面には所定の装飾が施されている。
【０００３】
【発明が解決しようとする課題】
このようなパチンコ機のモデルチェンジは、遊技盤を取り替えることで行われ、前枠は、交換に掛かるコストを考慮してそのまま使用されることが多い。このため、遊技領域内に現れる表示装置や入賞装置等のテーマやデザインが変わっても、結局その周囲の前枠のデザインは同じであるから、全体の雰囲気に新鮮味が生じにくいものとなっていた。
【０００４】
そこで、請求項１または６に記載の発明は、低コストで全体の雰囲気を容易に変更でき、モデルチェンジに好適に対応可能な遊技機用装飾カバーまたは遊技機を提供することを目的としたものである。
【０００５】
【課題を解決するための手段】
上記目的を達成するために、請求項１に記載の発明は、遊技機の前面に位置する前枠の一部または全部をカバーする形状を有し、表面に所定の装飾が施される一方、前枠に着脱可能な取付手段を備えてなる遊技機用装飾カバーとしたものである。
請求項２に記載の発明は、請求項１の目的に加えて、装飾カバーの着脱を簡単に行うために、取付手段を、前枠の裏面に係止可能な係止片としたものである。
請求項３に記載の発明は、請求項２の目的に加えて、装飾カバーをより強固に固定するために、係止片を、前枠と、その前枠の裏面で支持される透明板とで挟持させたものである。
請求項４に記載の発明は、請求項１乃至３の何れかの目的に加えて、従来遊技機の上方にあって目に付きにくかった遊技情報を、遊技者にとって読みやすくするために、表面に遊技情報が記載されている遊技機用装飾カバーとしたものである。
請求項５に記載の発明は、請求項１乃至４の何れかの目的に加えて、より効果的な装飾を簡単に得るために、前枠に設けられた電飾部材の前方位置で取り付け可能としたものである。
【０００６】
そして、上記目的を達成するために、請求項６に記載の発明は、前面に位置する前枠に、請求項１乃至５の何れかに記載の遊技機用装飾カバーを装着してなる遊技機としたものである。
なお、本発明でいう遊技情報とは、遊技機の遊び方や注意等、遊技機に関する文字や数字等による伝達情報を指す。
【０００７】
【発明の実施の形態】
以下、本発明の実施の形態を図面に基づいて説明する。
図１は、遊技機の一例であるパチンコ機の全体斜視図で、パチンコ機１は、周囲が外枠２によって覆われており、外枠２内には、図示しない本体が設置され、本体の前面には、略中央に表示装置４が組み付けられると共に、各種の入賞装置５ａや装飾部材５ｂを設置し、多数の障害釘６，６・・を植設した遊技盤３が嵌め込み設置されている。また、遊技盤３の前方には、中央に遊技盤３を臨ませる略円形の開口部８を有し、その開口部８を裏面から塞ぐ透明板としてのガラス９（図３に図示）を嵌め込んだ合成樹脂製の前枠７と、その前枠７の下側で、前方に上皿１１を突設した中扉１０とが、夫々片開き自在に取り付けられている。１２は、遊技盤３の下方に組み付けられ、前方に下皿１３を突設した下側機構部、２２，２２は、開口部８の両側で開口縁に沿って設けられる電飾部材である。
【０００８】
１４，１４は、前枠７の前面に装着された装飾カバーで、左右対称形であるので、図２において右側のもののみ説明する。この装飾カバー１４は、前枠７の一部を覆い、内縁が開口部８の周縁に沿って円弧状に形成され、外縁が前枠７の側面に沿って直線状に形成されるカバー本体１５と、そのカバー本体１５の内縁に沿って直角に延設される帯状の内板部１６と、カバー本体１５の外縁に沿って直角に延設され、内板部１６よりやや幅の狭い帯状の外板部１７とを備える。このうち内板部１６の下端側には、内側へ直角に折り返される舌片状の係止片１８，１８・・が、所定間隔をおいて三箇所形成されており、カバー本体１５の上下には、外板部１７と同じ幅で連続状に連なる小壁部１９，１９が形成され、各小壁部１９に、カバー本体１５と平行で、下面を外板部１７の下端縁と一致させた接着片２０が夫々延設されている。
【０００９】
この装飾カバー１４は、ポリエチレンテレフタレート（ＰＥＴ）製で、装飾用の図柄や、遊技機の遊び方や注意等の遊技情報を表記したシートを、真空成形によって上記断面コ字状のカバー体に一体成形したものである。よって、モデルチェンジによって遊技盤３が交換される場合は、新たな遊技盤３のテーマやデザインに合わせた装飾を施せば良い。
特にここでは、装飾カバー１４の成形に真空成形を採用したことで、品質の良い成形品が簡単に得られるようになっている。また、係止片１８を含めて一体成形したことで、部品点数が少なくなって製造に係るコストダウンが図られるようになっている。
【００１０】
以上の如く構成された装飾カバー１４，１４は、図３に示すように、内板部１６の各係止片１８を、前枠７における開口部８際で前枠７とガラス９との隙間に差し込み、各係止片１８を前枠７の裏面に係止させる一方、接着片２０の下面を、図示しない両面テープで前枠７の表面に接着する。すると、図１に二点鎖線で示すように、装飾カバー１４，１４が係止片１８の係止と接着片２０の接着とによって、電飾部材２２，２２を含む前枠７の一部を覆う格好で固定される。特に、係止片１８は、前枠７とガラス９とに挟持される格好となるから、装飾カバー１４が強固に固定され、脱却するおそれは少ない。なお、左側の装飾カバー１４における上側の接着片２０は、前枠７を蝶着するヒンジ部２１を避けるために切除している。
【００１１】
このように上記形態の装飾カバー１４及びそれを用いたパチンコ機１によれば、元の前枠７に新たな装飾を簡単に施すことができる。よって、遊技盤３の変更に合わせて全体の雰囲気を容易に変更でき、パチンコ機のモデルチェンジに好適に対応可能となる。しかも、元の前枠７はそのまま使用でき、簡単な形状の装飾カバーの追加で足りるから、モデルチェンジに掛かるコストは好適に抑えられる。
また、装飾カバー１４の取り付けを、前枠７の裏面に係止可能な係止片１８を利用したことで、装飾カバー１４の着脱を簡単に行うことができる。
さらに、装飾カバー１４の表面に遊技情報を記載しているから、従来遊技機１の上方にあって目に付きにくかった遊技情報を、遊技者の目の高さに位置させることができ、遊技者が読みやすくなる。
そして、装飾カバー１４は、前枠７に設けられた電飾部材２２の前方位置で取り付け可能となっているから、装飾カバー１４の裏側から電飾部材２２の光が照射され、より効果的な装飾を簡単に得ることができる。
【００１２】
なお、装飾カバーは、上記形態のように前枠を部分的に覆うものに限らず、前枠を左右或いは上下半分ずつ覆う一対のもの等によって、前枠の全部を覆う形状も採用できるし、着脱が可能であれば１つの装飾カバーで前枠全体を覆うようにしても差し支えない。よって、前枠の電飾部材の前方位置に取り付けて電飾を利用する場合も、電飾部材を全部覆うものに限らず、一部を覆うように装着することも可能である。
また、装飾カバーの取付手段も、係止片や接着片の数を増減したり、位置を変えたりする他、接着片に代えて係止片のみを設けたり、逆に係止片に代えて接着片のみを設けたりする等、前枠に着脱可能であれば種々の手段が採用できる。
【００１３】
さらに、装飾カバー自体の装飾は、上記形態のように、真空成形前のシートに予め表記しておく他、成形後の表面に装飾シールを貼着して行ったり、別体の装飾部材や電飾部材を取り付けたりすることも可能で、上記断面コ字状に限らず、凹凸を設けて立体感のある装飾を施すこともできる。また、一部を透明または半透明にして下側の前枠のデザインを部分的に利用することも可能である。
【００１４】
一方、遊技情報も、当該情報を記載したシールやラベルを成形後に貼付しても良い。
そして、装飾カバーは、上記形態のような合成樹脂の成形品が簡単且つ低コストであるが、これに限らず、可撓性のあるフィルムや、金属等の他の材質や形状のものも当然に使用可能である。
【００１５】
【発明の効果】
請求項１及び６に記載の発明によれば、装飾カバーを利用して元の前枠に新たな装飾を簡単に施すことができる。よって、遊技盤の変更に合わせて全体の雰囲気を容易に変更でき、モデルチェンジに好適に対応可能となる。しかも、元の前枠はそのまま使用でき、簡単な形状の装飾カバーの追加で足りるから、モデルチェンジに掛かるコストは好適に抑えられる。
請求項２に記載の発明によれば、請求項１の効果に加えて、装飾カバーの取付手段を、前枠の裏面に係止可能な係止片としたことで、装飾カバーの着脱を簡単に行うことができる。
請求項３に記載の発明によれば、請求項２の効果に加えて、係止片を、前枠と、その前枠の裏面で支持される透明板とで挟持させたことで、装飾カバーが強固に固定され、脱却するおそれが少なくなる。
【００１６】
請求項４に記載の発明によれば、請求項１乃至３の何れかの効果に加えて、装飾カバーの表面に遊技情報を記載したことで、従来遊技機の上方にあって目に付きにくかった遊技情報を、遊技者の目の高さに位置させることができ、遊技者が読みやすくなる。
請求項５に記載の発明によれば、請求項１乃至４の何れかの効果に加えて、装飾カバーを、前枠に設けられた電飾部材の前方位置で取り付け可能としたことで、装飾カバーの裏側から電飾部材の光が照射され、より効果的な装飾を簡単に得ることができる。
【図面の簡単な説明】
【図１】遊技機の正面図である。
【図２】（Ａ）は右側の装飾カバーの正面図、（Ｂ）（Ｃ）は夫々平面図及び右側面図である。
【図３】装飾カバーの取付状態を示す断面図である。
【符号の説明】
１・・パチンコ機、３・・遊技盤、７・・前枠、８・・開口部、１４・・装飾カバー、１５・・カバー本体、１６・・内板部、１７・・外板部、１８・・係止片、２０・・接着片。
【図１】
2004081586.tif 000003
【図２】
2004081586.tif 000004
【図３】
2004081586.tif 000005